(57)【要約】      （修正有）【課題】簡単に装着ができ、また装着時には確実に脱落を防止することができるとともに、装飾部を所定の位置に保持することができるピアス式イヤリングを提供する。【解決手段】装飾部１２の端部に、可撓性を有する所定長さのチェーン１３を取り付け、その先端に耳たぶ２１の挿入孔２２よりもやや長く形成したピアス用ピン１４の一端をロー付けして固着したピアス式イヤリングであって、装飾部とピアス用ピンとの間に、耳たぶの挿入孔よりもやや長く形成した抜止め用ピン１５を配設するとともに、装飾部側において抜止めピンの途中にチェーンの端部を連結する。装飾部側から引き抜く力が作用しても、抜止め用ピンのチェーンの端部との連結部位から先端が耳たぶの挿入孔の外側に立ち上がり、ピアス用ピンの耳たぶの挿入孔からの脱落を防止できる。【選択図】図７
0003212616.tif 000002
【実用新案登録請求の範囲】
【請求項１】
装飾部の端部に、可撓性を有する所定長さのチェーンを取り付け、その先端に耳たぶの挿入孔よりもやや長く形成したピアス用ピンの一端をロー付けして固着したピアス式イヤリングであって、
前記装飾部とピアス用ピンとの間に、耳たぶの挿入孔よりもやや長く形成した抜止め用ピンを配設するとともに、前記装飾部側においては抜止めピンの途中にチェーンの端部を連結することにより、前記装飾部側から引き抜く力が作用しても、前記抜止め用ピンのチェーンの端部との連結部位から先端が耳たぶの挿入孔の外側に立ち上がり、ピアス用ピンの耳たぶの挿入孔からの脱落を防止したことを特徴とするピアス式イヤリング。
【請求項２】
前記抜止め用ピンが、前記チェーンの端部との連結部位から先端の耳たぶの挿入孔の外側に立ち上げ可能な部位を前記チェーン側に向かって傾斜させていることを特徴とする請求項１に記載のピアス式イヤリング。
【考案の詳細な説明】
【技術分野】
【０００１】
本考案は、新規な形状によって高い装飾性を発揮し、使用中に耳たぶから脱落してしまうことを防止することができるピアス式イヤリングに関する。
【背景技術】
【０００２】
従来、特開２００１−４６１２２号公報（特許文献１参照）のように、一端に適宜の装飾性を有する飾部を設け、他端にストレートピン、弧状ピン等の挿入部を設けたチェーン類の一部にピン形状の剛体線状部を設けたことを特徴とするピアスが知られている。
【０００３】
このチェーン類を備えたピアスを装着する際には、挿入ピンから耳たぶの孔に挿入するようにしてチェーン類を孔に挿通し、装飾部を耳たぶの表側にして吊り下げるようにし、一方、耳たぶの裏側においては、下端の挿入ピンを有するチェーン類を吊り下げるようにして装着する。装着中には、装飾部と挿入ピンの重量のバランスが孔を介して均衡を保っており、かつ、チェーン類と孔の間に摩擦抵抗が生じることによってピアスを耳たぶの孔に保持させることができる。
【先行技術文献】
【特許文献】
【０００４】
【特許文献１】特開２００１−４６１２２号公報
【考案の概要】
【考案が解決しようとする課題】
【０００５】
しかしながら前記ピアスは、止着具を用いるキャッチピアスと比べて、装着が容易であるのに反し、簡単に耳たぶの挿入孔からチェーン類はもとより、挿入ピンまで抜け落ちてしまい、耳たぶへの保持力が良好とは言えなかった。
【０００６】
また、耳たぶの表側では装飾部が適宜位置において装着されているため、不自然に垂れ下がった位置に保持されたり、あるいは装飾部が耳たぶの挿入孔に引っ張られすぎたりするおそれがあった。したがって装飾性に関しても改善の余地があった。
【０００７】
本考案は、従来の前記課題に鑑みてなされたものであって、簡単に装着することができ、また装着時においては確実に脱落を防止することができるとともに、装飾部を所定の位置に保持することができるピアス式イヤリングを提供することを目的とする。
【課題を解決するための手段】
【０００８】
すなわち本考案のピアス式イヤリングは、装飾部の端部に、可撓性を有する所定長さのチェーンを取り付け、その先端に耳たぶの挿入孔よりもやや長く形成したピアス用ピンの一端をロー付けして固着したピアス式イヤリングであって、
前記装飾部とピアス用ピンとの間に、耳たぶの挿入孔よりもやや長く形成した抜止め用ピンを配設するとともに、前記装飾部側においては抜止めピンの途中にチェーンの端部を連結することにより、前記装飾部側から引き抜く力が作用しても、前記抜止め用ピンのチェーンの端部との連結部位から先端が耳たぶの挿入孔の外側に立ち上がり、ピアス用ピンの耳たぶの挿入孔からの脱落を防止したことを特徴とするものである。
【０００９】
本考案のピアス式イヤリングにおいて、前記抜止め用ピンが、前記チェーンの端部との連結部位から先端の耳たぶの挿入孔の外側に立ち上げ可能な部位を前記チェーン側に向かって傾斜させていることをも特徴とするものである。
【考案の効果】
【００１０】
請求項１のピアス式イヤリングにおいては、装飾部とピアス用ピンとの間に、耳たぶの挿入孔よりもやや長く形成した抜止め用ピンを配設するとともに、前記装飾部側においては抜止めピンの途中にチェーンの端部を連結することにより、前記装飾部側から引き抜く力が作用しても、前記抜止め用ピンのチェーンの端部との連結部位から先端が耳たぶの挿入孔の外側に立ち上がるようにして、ピアス用ピンの耳たぶの挿入孔からの脱落を防止するものである。
したがって簡単に装着することができることはもちろん、装着時においては確実に脱落を防止することができ、かつ装飾部を所定の位置に保持することができるピアス式イヤリングを提供することが可能となった。
【００１１】
請求項２のピアス式イヤリングにおいては、前記抜止め用ピンが、前記チェーンの端部との連結部位から先端の耳たぶの挿入孔の外側に立ち上げ可能な部位を、前記チェーン側に向かって傾斜させているものである。
したがって、簡単に装着することができ、かつ装飾部を所定の位置に保持することが可能であって、しかも耳たぶの挿入孔から無理なく取り外すことができるようになった。
【図面の簡単な説明】
【００１２】
【図１】本考案のピアス式イヤリングの一実施例を示す概略側面図である。
【図２】ピアス式イヤリングの使用に際し、耳たぶの挿入孔にピアス用ピンを差し込んだ状態を示す概略側面図である。
【図３】抜止めピンを挿入孔に差し込んだ状態を示す概略側面図である。
【図４】抜止めピンを挿入孔から引き抜いた状態を示す概略側面図である。
【図５】抜止めピンを挿入孔側に引き戻そうとする状態を示す概略側面図である。
【図６】抜止めピンの後端が挿入孔から上向きに立ち上がり、挿入孔に係合した状態を示す概略側面図である。
【図７】その概略斜視図である。
【図８】本考案のピアス式イヤリングの他の実施例を示す概略側面図である。
【図９】その概略斜視図である。
【考案を実施するための形態】
【００１３】
以下、図面を用いて本考案におけるピアス式イヤリングの第１の実施例を詳細に説明する。
図１は、すなわち本考案のピアス式イヤリング１１は、つゆ型の装飾部１２の端部に、可撓性を有する所定長さのチェーン１３を取り付け、その先端に耳たぶ２１の挿入孔２２よりもやや長く形成したピアス用ピン１４の一端をロー付け等により固着したものである。
その上で、前記装飾部１２とピアス用ピン１４との間に、耳たぶ２１の挿入孔２２よりもやや長く形成した抜止め用ピン１５を配設するとともに、前記装飾部１２側においては抜止めピン１５の途中の適宜位置にチェーン１３の端部を連結してある。
【００１４】
ちなみに、前記抜止めピン１５の途中のチェーン１３端部の取付位置は、抜止めピン１５の全長の前記装飾部１２から１／４〜１／７の位置とすることが望ましい。
こうすることによって、前記装飾部１２側から引き抜く力が作用しても、前記抜止め用ピン１５のチェーン１３の端部との連結部位から先端までの係止部１５ａが耳たぶ２１の挿入孔２２の外側に立ち上がり、ピアス用ピン１４の耳たぶの挿入孔２２からの脱落を防止することができる。
【００１５】
また本実施例のピアス式イヤリング１１においては、前記抜止め用ピン１５が、前記チェーン１３の端部との連結部位から先端までの係止部１５ａは前記チェーン１３側に向かってやや屈曲させてある。
こうしておけば、前記係止部１５ａが耳たぶ２１の挿入孔２２への差し込みや抜き取り作業の障害になりにくくなって簡単に装着することができ、かつ装飾部１２を所定の位置に保持することが可能であって、しかも耳たぶ２１の挿入孔２２から無理なく取り外すことができるようになった。
【００１６】
次に、図２ないし図７に基いて、ピアス式イヤリングの使用方法について詳細に説明する。
まず、図２に示すように、耳たぶ２１の挿入孔２２にピアス用ピン１４を差し込む。その際、ピアス用ピン１４は耳たぶ２１の挿入孔２２よりもやや長く形成してあるので、その先端を持って簡単に引き抜くことができる。
そのまま耳たぶ２１の挿入孔２２からチェーン１３を引き出し、図３に示すように、抜止めピン１５を挿入孔２２に差し込んで、図４に示すように抜止めピン１５を挿入孔２２から引き抜く。
【００１７】
このような、抜止めピン１５を挿入孔２２から引き抜いた状態で使用してもよいが、図５に示すように、一般的には装飾部１２側が重いことが多く、抜止めピン１５を挿入孔２２側に引き戻そうとする力が作用する。
その場合には図６に示すように、チェーン１３によるけん引力が作用すると、抜止めピン１５も挿入孔２２に向かって引っ張られるが、抜止めピン１５はその後端の係止部１５ａが挿入孔２２から上向きに立ち上がり、挿入孔２２に係合した状態で保持される。図７はその概略斜視図である。
なお、前記抜止めピン１５を挿入孔２２から引き抜く場合には、前記抜止めピン１５の両側のチェーン１３を引っ張って直線状とし、その状態で耳たぶ２１の挿入孔２２から引き抜けばよい。
【００１８】
図８および図９は、本考案のピアス式イヤリングの第２の実施例を示すものである。
図において、抜止めピン１５および係止部１５ａとその両側のチェーン１３とは第１実施例とほぼ同一であるが、この例においてはピアス用ピン３１は緩い波状をなす曲線状に形成されている。もちろん、この程度の曲線では耳たぶ２１の挿入孔２２への挿入等への障害にはならない。
また、この例では前記つゆ型の装飾部１２に代えて、保持枠３４に爪止め等で宝石３３を係合した装飾部３２としたものであり、該装飾部３２を３つ連結した場合を示している。
【産業上の利用可能性】
【００１９】
本考案のピアス式イヤリングは以上に説明したとおりであるが、その要旨を変更しない限りにおいて様々な用途に適用することができる。
【符号の説明】
【００２０】
１１  ピアス式イヤリング
１２  装飾部
１３  チェーン
１４  ピアス用ピン
１５  抜止めピン
１５ａ  係止部
２１  耳たぶ
２２  挿入孔
３１  ピアス用ピン
３２  装飾部
３３  宝石
３４  保持枠
【図１】
0003212616.tif 000003
【図２】
0003212616.tif 000004
【図３】
0003212616.tif 000005
【図４】
0003212616.tif 000006
【図５】
0003212616.tif 000007
【図６】
0003212616.tif 000008
【図７】
0003212616.tif 000009
【図８】
0003212616.tif 000010
【図９】
0003212616.tif 000011